(57)【要約】      （修正有）【課題】伝送経路に対する回線遅延時間を伝送装置が自律的に測定するために用いられる情報を、所定の通信規格で定義された遅延測定信号を用いて伝送装置が対向装置と送受信できる方法を提供する。【解決手段】伝送装置２００は、コード生成部２０１、挿入部２０２、及び検出部２０３を含む。コード生成部２０１は、遅延測定情報を生成する。挿入部２０２は、コード生成部２０１により生成された遅延測定情報に含まれる各ビットを複数フレーム内の各遅延測定信号に順次挿入し、遅延測定情報の各ビットが順次挿入された複数フレームを、回線遅延時間を測定する伝送経路上で対向する対向装置へ順次送信する。検出部２０３は、対向装置から送信された複数フレームを受信し、受信した複数のフレーム内の各遅延測定信号から遅延測定情報を検出する。【選択図】図５
2016105550.tif 000002
【特許請求の範囲】
【請求項１】
遅延測定情報を生成するコード生成部と、
前記コード生成部により生成された前記遅延測定情報に含まれる各ビットを複数フレーム内の各遅延測定信号に順次挿入し、前記遅延測定情報の各ビットが順次挿入された前記複数フレームを、回線遅延時間を測定する伝送経路上で対向する対向装置へ順次送信する挿入部と、
前記対向装置から送信された複数フレームを受信し、受信した前記複数のフレーム内の各遅延測定信号から前記遅延測定情報を検出する検出部と
を含む伝送装置。
【請求項２】
前記遅延測定情報は、前記遅延測定情報を用いて所定の伝送経路に対する回線遅延時間を測定する伝送装置の識別コードを含み、
前記検出部は、検出された前記識別コードが前記伝送装置の識別コードである場合に、前記挿入部により送信された前記遅延測定情報を検出する
請求項１に記載の伝送装置。
【請求項３】
前記検出部により検出された前記識別コードが前記対向装置の識別コードである場合に、前記生成部により生成された遅延測定情報と前記検出部により検出された前記遅延測定情報とが前記挿入部により前記測定遅延信号に夫々挿入されるタイミングを制御する競合制御部を更に含む、請求項２に記載の伝送装置。
【請求項４】
前記遅延測定情報は、前記伝送装置及び前記対向装置による、前記回線遅延時間の測定が前記伝送装置内で競合するか否かを示す測定競合フラグを含み、
前記競合制御部は、前記生成部が前記識別コードを生成した時点よりも前記検出部が前記識別コードを検出した時点が遅い場合に、検出された前記測定競合フラグを前記検出部に立てさせ、立てられた前記測定競合フラグを含む前記検出部により検出された前記遅延測定情報を、前記コード生成部により生成された前記遅延測定情報の先頭ビットが前記遅延測定信号に挿入されてから所定数のフレーム後に前記挿入部に挿入させる
請求項３に記載の伝送装置。
【請求項５】
検出された前記識別コードが前記伝送装置の識別コードであり、検出された前記測定競合フラグが立っていない場合に、前記検出部は前記伝送経路に対する前記回線遅延測定が成功したことを特定する
請求項４に記載の伝送装置。
【請求項６】
検出された前記識別コードが前記伝送装置の識別コードであり、検出された前記測定競合フラグが立っている場合に、前記コード生成部は、前記遅延測定情報を再度生成する、請求項４又は５に記載の伝送装置。
【請求項７】
検出された前記識別コードが前記伝送装置の識別コードであって検出された前記測定競合フラグが立っている回数をカウントするタイミング制御部を更に含む、請求項４〜６の何れか一項に記載の伝送装置。
【請求項８】
前記回数が所定数を超える場合に、前記タイミング制御部は、前記コード生成部が前記遅延測定情報を生成するタイミングを所定時間遅らせる、請求項７に記載の伝送装置。
【請求項９】
測定対象の伝送経路上で対向する第１の伝送装置及び第２の伝送装置を含む伝送網システムであって、
第１の伝送装置は、遅延測定情報を生成し、生成した前記遅延測定情報に含まれる各ビットを複数フレーム内の各遅延測定信号に順次挿入し、前記遅延測定情報の各ビットが順次挿入された前記複数フレームを前記第２の伝送装置へ順次送信し、
前記第２の伝送装置は、前記第１の伝送装置から送信された前記複数フレームを受信し、受信した前記複数フレーム内の各遅延測定信号から前記遅延測定情報を検出し、検出した前記遅延測定情報に含まれる各ビットを複数フレーム内の各遅延測定信号に順次挿入し、前記遅延測定情報の各ビットが順次挿入された前記複数フレームを前記第１の伝送装置へ順次送信し、
前記第１の伝送装置は、前記第２の伝送装置から送信された前記複数フレームを受信し、受信した前記複数のフレーム内の各遅延測定信号から前記遅延測定情報を検出する
伝送網システム。
【請求項１０】
遅延測定情報を生成し、
生成された前記遅延測定情報に含まれる各ビットを複数フレーム内の各遅延測定信号に順次挿入し、前記遅延測定情報の各ビットが順次挿入された前記複数フレームを、回線遅延時間を測定する伝送経路上で対向する対向装置へ順次送信し、
前記対向装置から送信された複数フレームを受信し、受信した前記複数のフレーム内の各遅延測定信号から前記遅延測定情報を検出する、
伝送装置が行う伝送遅延測定方法。
【発明の詳細な説明】
【技術分野】
【０００１】
本発明は、伝送装置、伝送網システム、及び伝送遅延測定方法に関する。
【背景技術】
【０００２】
大容量の情報を長距離に渡り伝送する光通信基幹網に関する通信プロトコルには、例えばInternational Telecommunication Union Telecommunication Standardization Sector (ITU-T) G.709で規定されたOptical Transport Network (OTN)がある。OTNでは、Synchronous Optical Network (SONET)/Synchronous Digital Hierarchy (SDH)及びイーサネット（登録商標）等の所定の通信規格に従ったクライアント信号は、固定長のフレーム内に収容され、波長多重技術を用いてネットワーク内を伝送する。OTNに従ったネットワークでは、伝送経路は、SONET/SDHに従ったネットワークとは異なり固定されず、伝送装置の増設等によってネットワークの運用中に変化してもよい。伝送経路は、ネットワーク内において経路の伝送品質が最適となるように選択されて切り替えられる。
【０００３】
伝送経路の品質を表す要素の１つとして、回線遅延時間が挙げられる。回線遅延時間は、例えば定常的に測定される。また、近年、通信事業者が契約者に対してサービス品質を明示して保証するService Level Agreementが通信事業者と契約者との間で結ばれるケースがある。こうしたケースでは、ネットワークの品質管理のために回線遅延時間を測定することが通信事業者にとって重要になり得る。例えば、伝送経路上で対向する各伝送装置が互いに異なる通信事業者により管理される場合、各通信事業者は、該通信事業者が管理する伝送装置を通じて回線遅延時間を測定し、ネットワークの保守及び管理を行う。
【０００４】
OTNでは、Optical Data Unit (ODU) Path Monitoring (PM) Layerでの回線遅延時間とTandem Connection Monitoring (TCM) Layerでの回線遅延時間とを夫々測定するためのDelay Measurement(DM)機能が規定されている。図１は、ITU-T G.709で規定されるODUオーバヘッドの構成図である。図２は、ITU-T G.709で規定されるPMオーバヘッドの構成図である。図３は、ITU-T G.709で規定されるTCMオーバヘッドの構成図である。
【０００５】
図１に示すように、OTNでは、ネットワーク内の任意の伝送装置間のパス(path)に対する障害や回線品質を監視するためのPMオーバヘッドが、OTNフレームのODUオーバヘッド内の3行目10〜12列目に定義される。加えて、図１及び図２に示すように、パスに対する遅延測定試験の開始を告げる1ビットのパス遅延測定(DMp)信号が2行目3列目のPM and TCMフィールド内のビット7に定義される。また、図１に示すように、パス上に任意に設定された最大6つのTCM区間に対するに対する障害や回線品質を夫々監視するためのTCMオーバヘッド(TCM1〜TCM6)が、ODUオーバヘッド内の2行目5〜13列目及び3行目1〜9列目に定義される。加えて、図１及び図２に示すように、6つのTCM区間に対する遅延測定試験の開始を告げる夫々1ビットの6つのTCM遅延測定(DMti)信号がPM and TCMフィールド内のビット1〜6に定義される。
【０００６】
OTNにおける回線遅延時間の測定は、上述した1ビットのDM信号（DMp信号及びDMti信号）の変化が検出されることにより実行される。具体的には、回線遅延時間を測定する伝送装置は、測定開始時にOTNフレーム内のDM信号を現在の値から反転させる。そして、伝送装置は、値が反転したDM信号を含むOTNフレームを測定対象の伝送経路上で対向する伝送装置（対向装置）へ送信する。このように、DM信号の値は、測定開始時に0から1又は1から0へ反転する。反転したDM信号の値は、次の遅延測定試験の開始まで維持される。値が反転したDM信号を含むOTNフレームは、測定対象の伝送経路を通じて対向装置により受信され、測定対象の伝送経路を通じて対向装置から伝送装置へ返送される。対向装置から返送されたフレームから値が反転したDM信号が検出されると、伝送装置は回線延時間の測定を終了する。こうして、DM信号の値が反転された時点から、値が反転したDM信号が検出された時点までの時間が、測定対象の伝送経路に対する回線遅延時間として測定される。
【０００７】
なお、次のような無瞬断切替システムが知られている。すなわち、端局装置（対向局）と対向して配置された装置において、SDHフレーム信号のB2バイトに、B2エラー挿入部で擬似エラー情報を挿入して対向局に現用及び予備系伝送経路を介して送信する。対向局において、B2バイトの情報からエラー数を算出してこのエラー数をM1バイトに挿入し現用及び予備系伝送経路を介して装置へ送り返す。装置では、このM1バイトのエラー数の検出位相差により、現用及び予備系伝送経路の経路長差を検出して、現用及び予備系送受信部の遅延量の設定制御を、位相制御部により行うようにする。
【０００８】
また、次のようなSDH伝送のノード間距離測定システムが知られている。すなわち、ノード間の距離を測定するSDH伝送のノード間距離測定システムに、測定部と折り返し部とを備える。測定部は、フレームのオーバヘッドの特定バイトにスタートデータが挿入されたフレームを送信する時にフレームの往復時間の測定を開始する。折り返し部は、測定部から受信したフレームのオーバヘッドの特定バイトからスタートデータを検出した時に遅延時間の測定を開始し、測定部に送信されるフレームのオーバヘッドの特定バイトを検出した時に遅延時間の測定を停止する。折り返し部は、検出された特定バイトに測定された遅延時間データを挿入して測定部に折り返し送信を行う。測定部は、折り返し部から受信したフレームのオーバヘッドの特定バイトから遅延時間を分離した時に、往復時間の測定を停止し、測定された往復時間から分離された遅延時間を差し引いて往復時間を補正する。
【先行技術文献】
【特許文献】
【０００９】
【特許文献１】特開２００６−１３６４２号公報
【特許文献２】特開２０００−３３２７１５号公報
【発明の概要】
【発明が解決しようとする課題】
【００１０】
発明が解決しようとする課題は、伝送経路に対する回線遅延時間を伝送装置が自律的に測定するために用いられる情報を、所定の通信規格で定義された遅延測定信号を用いて伝送装置が対向装置と送受信できるようにすることである。
【課題を解決するための手段】
【００１１】
実施形態の一側面に従った伝送装置は、コード生成部、挿入部、及び検出部を含む。コード生成部は、遅延測定情報を生成する。挿入部は、コード生成部により生成された遅延測定情報に含まれる各ビットを複数フレーム内の各遅延測定信号に順次挿入し、遅延測定情報の各ビットが順次挿入された複数フレームを、回線遅延時間を測定する伝送経路上で対向する対向装置へ順次送信する。検出部は、対向装置から送信された複数フレームを受信し、受信した複数のフレーム内の各遅延測定信号から遅延測定情報を検出する。
【発明の効果】
【００１２】
実施形態の一側面に従った伝送装置によれば、伝送経路に対する回線遅延時間を伝送装置が自律的に測定するために用いられる情報を、所定の通信規格で定義された遅延測定信号を用いて対向装置と送受信することができる。
【図面の簡単な説明】
【００１３】
【図１】ITU-T G.709で規定されるODUオーバヘッドの構成図である。
【図２】ITU-T G.709で規定されるPMオーバヘッドの構成図である。
【図３】ITU-T G.709で規定されるTCMオーバヘッドの構成図である。
【図４】実施形態に従った伝送装置を含む例示的な伝送網システムの構成図である。
【図５】実施形態に従った伝送装置の例示的な機能構成図である。
【図６】実施形態に従った伝送装置の例示的なハードウェア構成図である。
【図７】実施形態に従った伝送装置が行う伝送遅延測定の説明図である。
【図８】遅延測定情報が挿入された遅延測定信号列の例図である。
【図９】伝送装置及び対向装置の遅延測定情報が遅延測定信号に挿入されるタイミングを説明する第１の例図である。
【図１０】伝送装置及び対向装置の遅延測定情報が遅延測定信号に挿入されるタイミングを説明する第２の例図である。
【図１１Ａ】実施形態に従った伝送装置が行う例示的な遅延測定情報の送信処理フロー図である。
【図１１Ｂ】実施形態に従った伝送装置が行う例示的な遅延測定情報の送信処理フロー図である。
【図１２】実施形態に従った伝送装置が行う例示的な遅延測定情報の受信処理フロー図である。
【発明を実施するための形態】
【００１４】
以下、図面を参照しながら発明を実施するための形態を説明する。
図４は、実施形態に従った伝送装置を含む例示的な伝送網システムの構成図である。伝送網システム１００は、例えば、OTNに従った光通信網システムである。図４に示す一例では、伝送網システム１００は、１２個の伝送装置２００−１〜２００−１２を含む。伝送装置２００−１〜２００−１２は、実施形態に従った伝送装置の一例である。以下の説明において伝送装置２００−１〜２００−１２を区別する特段の理由がない限り、伝送装置２００−１〜２００−１２を伝送装置２００と記載する。なお、図４には、１２個の伝送装置２００が示されているが、伝送網システム１００に含まれる伝送装置２００の数は2以上の任意であってよい。
【００１５】
図４に示す一例では、6つの伝送装置２００−１〜２００−６は、ある通信事業者により管理されるキャリア網１１０−１に含まれ、6つの伝送装置２００−７〜２００−１２は、別の通信事業者により管理されるキャリア網１１０−２に含まれる。以下の説明においてキャリア網１１０−１〜１１０−２を区別する特段の理由がない限り、キャリア網１１０−１〜１１０−２をキャリア網１１０と記載する。なお、図４には、2つのキャリア網１１０が示されているが、伝送網システム１００に含まれるキャリア網１１０の数は、1以上の任意の数であってよい。
【００１６】
図４に示す一例では、キャリア網１１０−１内において、伝送装置２００−１と伝送装置２００−２及び伝送装置２００−６とが接続され、伝送装置２００−２と伝送装置２００−３及び伝送装置２００−６とが接続される。加えて、伝送装置２００−３と伝送装置２００−４及び伝送装置２００−５とが接続され、伝送装置２００―５と伝送装置２００−４及び伝送装置２００−６とが接続される。また、キャリア網１１０−２内において、伝送装置２００−７と伝送装置２００−８及び伝送装置２００−１２とが接続され、伝送装置２００−８と伝送装置２００−９及び伝送装置２００−１２とが接続される。加えて、伝送装置２００−９と伝送装置２００−１０及び伝送装置２００−１１とが接続され、伝送装置２００―１１と伝送装置２００−１０及び伝送装置２００−１２とが接続される。
【００１７】
図４に示す一例では、キャリア網１１０−１及びキャリア網１１０−２は、伝送装置２００−４と伝送装置２００−７とが接続されることにより接続される。また、伝送装置２００−１は、イーサネット（登録商標）に従った通信装置３１０−１及びSONET/SDNに従った通信装置３２０−１と接続し、伝送装置２００−１０は、イーサネット（登録商標）に従った通信装置３１０−２及びSONET/SDNに従った通信装置３２０−２と接続する。イーサネット（登録商標）に従った通信装置３１０−１〜３１０−２及びSONET/SDNに従った通信装置３２０−１〜３２０−２は、イーサネット（登録商標）又はSONET/SDNといった所定の通信規格に従ったクライアント信号を伝送装置２００と送受信する装置の一例である。
【００１８】
なお、図４は、伝送装置２００の接続例を示すにすぎず、伝送網システム１００に含まれる伝送装置２００は他の伝送装置２００及び通信装置と任意に接続されてよい。
【００１９】
前述したように、例えばOTNでは、パス及びTCM区間等の所定の伝送経路に対する回線遅延時間の測定に、OTNフレーム内の1ビットのDM信号が用いられる。具体的には、OTNでは、送信対象のOTNフレーム内のDM信号の値を伝送装置が反転した時点から、受信されたOTNフレーム内から値が反転したDM信号を該伝送装置が検出した時点までが測定される。DM信号を用いたこうした回線遅延時間の測定は、測定対象の伝送経路上で対向する双方の伝送装置が異なる通信事業者により夫々管理される等に起因して、対向する双方の伝送装置により自律的に行われる可能性がある。対向する双方の伝送装置による回線遅延時間の測定が時間的に競合する場合、対向する双方の伝送装置がDM信号の値を反転する。しかしながら、受信されたOTNフレームから値が反転したDM信号が検出されたとしても、該値の反転が何れの伝送装置により行われたのかは識別しにくい。回線遅延時間の測定が上述のように時間的に競合する可能性があるにもかかわらずDM信号の値を反転した伝送装置を識別できなければ、測定対象の伝送経路上で対向する双方の伝送装置は、該伝送経路に対する回線遅延時間を自律的に測定できない可能性がある。そこで、実施形態に従った伝送装置２００は、例えば以下に説明するような伝送遅延の測定処理を実行するように構成される。
【００２０】
まず、伝送装置２００は、遅延測定情報を複数のフレームに夫々含まれる遅延測定信号を用いてコード化する。伝送装置２００を含む伝送網システム１００がOTNに従った伝送網である場合、複数のフレームに夫々含まれる遅延測定信号は、例えばOTNフレーム内のDM信号であってよい。コード化される遅延測定情報は、測定開始フラグ、伝送装置２００の識別コード、及び測定競合フラグを含む。
【００２１】
測定開始フラグは、所定の伝送経路に対する回線遅延時間の測定開始を示す情報である。
【００２２】
伝送装置２００の識別コードは、伝送網システム１００に含まれる各伝送装置２００にユニークに付された識別コードであり、回線遅延時間の測定を実行する伝送装置２００の識別コードである。なお、伝送装置２００の識別コードは、当該伝送装置２００を含むキャリア網１１０を管理する管理者により設定されてよい。また、伝送装置２００の識別コードに対する信頼性を保証するために、パリティビット等の冗長ビットが伝送装置２００の識別コードに付加されてもよい。
【００２３】
測定競合フラグは、伝送装置２００及び対向装置による、伝送経路に対する回線遅延時間の測定が伝送装置２００内で競合するか否かを示す情報である。対向装置は、回線遅延時間の測定を実行する伝送装置２００と測定対象の伝送経路上で対向する伝送装置２００である。なお、以下の説明において、「伝送装置２００及び対向装置による、伝送経路に対する回線遅延時間の測定が伝送装置２００内で競合すること」を測定競合と呼ぶ場合がある。
【００２４】
伝送装置２００は、遅延測定情報を含む複数のフレームを、測定対象の伝送経路を通じて対向装置へ送信する。伝送装置２００は、測定対象の伝送経路を通じて対向装置から返信された複数のフレームから遅延測定情報を検出する。伝送装置２００は、検出された識別コードが当該伝送装置２００の識別コードか否かを判定することで、検出された遅延測定情報が当該伝送装置２００及び対向装置の何れにより生成されたかを識別する。また、伝送装置２００は、検出された測定競合フラグを参照することで、伝送装置２００及び対向装置による回線遅延時間の測定が対向装置内で競合したか否かを識別し、伝送装置２００による回線遅延時間の測定が成功したか否かを識別する。
【００２５】
このように、実施形態に従った伝送装置２００によれば、測定対象の伝送経路上で対向する双方の伝送装置２００は、該伝送経路に対する回線遅延時間を自律的に測定することができる。すなわち、伝送装置２００と対向装置との間の伝送経路に対する回線遅延時間を対向装置が測定するか否かに係らず、伝送装置２００は、該伝送経路に対する回線遅延時間を自律的に測定することができる。
【００２６】
また、伝送装置２００は、伝送経路に対する回線遅延時間を伝送装置２００が自律的に測定するために用いられる複数ビットの情報を、送信対象の複数のフレーム内に含まれる測定遅延信号に順次挿入する。伝送経路に対する回線遅延時間を伝送装置２００が自律的に測定するために用いられる情報の一例としては、前述したような遅延測定情報が挙げられる。例えば、送信対象のフレームがOTNフレームである場合、伝送装置２００は、複数のOTNフレームに含まれる1ビットのDM信号に遅延測定情報を順次挿入する。前述したように、DM信号は回線遅延時間の測定用にITU-T G.709で定義される。したがって、伝送装置２００によれば、伝送経路に対する回線遅延時間を伝送装置が自律的に測定するために用いられる情報を、所定の通信規格で定義された遅延測定信号を用いて対向装置と送受信することができる。
【００２７】
図５は、実施形態に従った伝送装置の例示的な機能構成図である。図５に示すように、伝送装置２００は、コード生成部２０１、挿入部２０２、検出部２０３、比較部２０４、測定カウンタ２０５、競合制御部２０６、及びタイミング制御部２０７を含む。
【００２８】
コード生成部２０１は、測定対象の伝送経路に対する回線遅延時間を伝送装置２００が測定するための遅延測定情報を生成する。コード生成部２０１により生成される遅延測定情報は、測定開始フラグ、伝送装置２００の識別コード、及び測定競合フラグを含む。なお、コード生成部２０１により生成される測定開始フラグは立っており、コード生成部２０１により生成される測定競合フラグは立っていない。コード生成部２０１は、伝送装置２００の識別コードを生成した生成時点を競合制御部２０６へ通知する。コード生成部２０１は、競合制御部２０６から受信した送信指示に従って、生成した遅延測定情報を挿入部２０２へ送信する。
【００２９】
検出部２０３は、測定対象の伝送経路上で対向する対向装置から送信された複数のフレームを受信し、受信した複数のフレーム内の各遅延測定信号から遅延測定情報を検出する。検出される遅延測定情報は、測定開始フラグ、伝送装置２００又は対向装置の識別コード、及び測定競合フラグを含む。検出部２０３は、立てられた測定開始フラグを検出することで、該測定開始フラグを含む遅延測定情報を検出する。検出部２０３は、検出した識別コードを比較部２０４へ送信する。
【００３０】
検出部２０３が検出した識別コードは伝送装置２００の識別コードであるとの通知を比較部２０４から受信した場合、検出部２０３は、検出した測定競合フラグが立っているか否かを確認する。測定競合フラグが立っていることは、伝送装置２００及び対向装置による、伝送経路に対する回線遅延時間の測定が対向装置内で競合したことを指す。検出した測定競合フラグが立っていることを確認した場合、検出部２０３は、検出した測定競合フラグが立っていることをタイミング制御部２０７へ通知する。
【００３１】
一方、検出部２０３が検出した識別コードは対向装置の識別コードであるとの通知を比較部２０４から受信した場合、検出部２０３は、対向装置の識別コードを検出した検出時点を競合制御部２０６へ通知する。検出した測定競合フラグを立てるように競合制御部２０６に指示された場合、検出部２０３は、検出した測定競合フラグを立てる。検出部２０３は、競合制御部２０６から受信した指示に従って、検出した遅延測定情報（立てられた測定競合フラグを含んでよい）を挿入部２０２へ送信する。
【００３２】
なお、対向装置以外の他の伝送装置２００へ送信されるフレームを対向装置から受信した場合、検出部２０３は、受信したフレームを該他の伝送装置２００へ転送する。
【００３３】
挿入部２０２は、競合制御部２０６から受信した挿入指示に従って、コード生成部２０１から受信した遅延測定情報を複数のフレームに夫々含まれる遅延測定信号に順次挿入する。伝送装置２００が例えばOTNに従った伝送装置である場合、遅延測定情報が挿入される遅延測定信号は、1ビットのDM信号であってよい。コード生成部２０１から受信した、伝送装置２００の識別コードを遅延測定信号に挿入すると、挿入部２０２は、回線遅延時間のカウントを測定カウンタ２０５に開始させる。挿入部２０２は、遅延測定情報を含む複数のフレームを対向装置へ順次送信する。
【００３４】
また、挿入部２０２は、競合制御部２０６から受信した挿入指示に従って、検出部２０３から受信した遅延測定情報を複数のフレームに夫々含まれる遅延測定信号に順次挿入する。挿入部２０２は、遅延測定情報を含む複数フレームを対向装置へ順次送信する。
【００３５】
なお、対向装置へ送信されるフレームを挿入部２０２が他の伝送装置２００から受信した場合には、挿入部２０２は、受信したフレームを対向装置へ転送する。
【００３６】
比較部２０４は、コード生成部２０１により生成された識別コードと、検出部２０３により検出された識別コードとを比較する。前述したように、コード生成部２０１により生成される識別コードは、回線遅延時間の測定を実行する当該伝送装置２００の識別コードである。また、検出部２０３により検出される識別コードは、当該伝送装置２００の識別コード又は対向装置の識別コードである。比較部２０４は、検出された識別コードが当該伝送装置２００及び対向装置の何れの識別コードであるかの比較の結果を検出部２０３に通知する。また、比較の結果、両識別コードが一致する場合、比較部２０４は、回線遅延時間のカウントを測定カウンタ２０５に終了させる。
【００３７】
測定カウンタ２０５は、測定対象の伝送経路に対する回線遅延時間を測定（計測）するためのカウンタである。測定カウンタ２０５は、伝送装置２００の識別コードが複数のフレームに夫々含まれる遅延測定信号に挿入部２０２により挿入されたときに回線遅延時間のカウントを開始する。また、測定カウンタ２０５は、コード生成部２０１により生成された識別コードと検出部２０３により検出された識別コードとが一致すると比較部２０４により判定されたときに回線遅延時間のカウントを終了する。
【００３８】
競合制御部２０６は、伝送装置２００及び対向装置による、伝送経路に対する回線遅延時間の測定が伝送装置２００内で競合することを防止する。具体的には、競合制御部２０６は、コード生成部２０１により生成された伝送装置２００の遅延測定情報と、検出部２０３により検出された対向装置の遅延測定情報とが遅延測定信号に夫々挿入されるタイミングを制御する。例えば、競合制御部２０６は、遅延測定情報を挿入部２０２へ送信する指示をコード生成部２０１及び検出部２０３へ、所定の時間間隔を空けて夫々送信する。また、競合制御部２０６は、コード生成部２０１から受信した遅延測定情報を遅延測定信号に挿入する指示と、検出部２０３から受信した遅延測定情報を遅延測定信号に挿入する指示とを所定の時間間隔を空けて挿入部２０２へ夫々送信する。上述した「所定の時間間隔」とは、異なる遅延測定情報を遅延測定信号に夫々挿入するために望まれる、所定数のフレームに相当する時間間隔を指す。例えば、遅延測定情報が9ビットであり、フレームに含まれる遅延測定信号が1ビットである場合、遅延測定情報は、9個のフレーム内の各遅延測定信号に分けて挿入される。そこで、異なる遅延測定情報が遅延測定信号に夫々挿入されるように、後続する遅延測定情報は、例えば、先行する遅延測定情報の先頭ビットが挿入された先頭フレームから10フレーム後続するフレームから順次挿入される。したがって、このケースでは、所定の時間間隔は10フレームに相当する時間間隔である。
【００３９】
また、挿入タイミングの制御によって対向装置の遅延測定情報が遅延測定信号に挿入されるタイミングが遅くなる場合、競合制御部２０６は、検出された遅延測定情報内の測定競合フラグを立てるように検出部２０３に指示する。測定競合フラグが立てられることによって、伝送装置２００は、該伝送装置２００が送信した遅延測定情報を対向装置が遅延測定信号に挿入したタイミングに遅れが生じたことを特定できる。すなわち、伝送装置２００は、遅延測定情報を用いた回線遅延時間の測定に誤差が生じたことにより、回線遅延時間の測定が失敗したことを特定できる。
【００４０】
タイミング制御部２０７は、伝送装置２００が回線遅延時間の測定を開始するタイミングを制御する。例えば、伝送装置２００及び対向装置による回線遅延時間の測定が対向装置内で競合する頻度が高い場合、タイミング制御部２０７は、伝送装置２００が回線遅延時間の測定を開始するタイミングを遅らせる。具体的には、タイミング制御部２０７は、伝送装置２００が送信し対向装置から返送された測定競合フラグが立っているとの通知を検出部２０３から受ける。タイミング制御部２０７は、検出部２０３から通知を受けた回数（競合回数）をカウントする。競合回数をカウントすることによって、タイミング制御部２０７は、回線遅延時間の測定が成功する頻度を監視する。
【００４１】
カウントされた競合回数が所定値を超える場合、タイミング制御部２０７は、コード生成部２０１が遅延測定情報を生成する生成タイミングを所定時間だけ遅らせる。例えば、所定時間が経過した後に、タイミング制御部２０７は、遅延測定情報を生成するようにコード生成部２０１に指示する。タイミング制御部２０７による制御によって、伝送装置２００による回線遅延時間の測定は所定時間だけ遅く開始される。この結果、伝送装置２００による回線遅延時間の測定と対向装置による回線遅延時間の測定とが時間的に競合することは回避される。
【００４２】
図６は、実施形態に従った伝送装置の例示的なハードウェア構成図である。図６に示すように、伝送装置４００は、制御回路４０１、4つの回線インタフェース(IF)回路４０２−１〜４０２−４、及びスイッチ(SW)回路４０３を含む。図６において、回路間を結ぶ実線の矢印は、データ信号線を表し、点線の矢印は、制御信号線を表す。以下の説明において4つの回線インタフェース回路４０２−１〜４０２−４を特に区別しない場合には、回線インタフェース回路４０２−１〜４０２−４を回線インタフェース回路４０２と記載する。
【００４３】
制御回路４０１は、伝送装置４００内において回線インタフェース回路４０２及びスイッチ回路４０３と制御信号線を介して接続され、伝送装置４００内の各回路の各種設定と、アラームや統計情報の収集とを司る。また、制御回路４０１は、所定の伝送経路に対する回線遅延時間の測定等を指示する制御端末装置(外部モニタ)５００等とも接続される。制御回路４０１は、着脱可能なモジュール又はカードであってもよい。
【００４４】
回線インタフェース回路４０２は、伝送装置４００に隣接する他の伝送装置と接続する回線ポートを収容し、該他の伝送装置と通信するためのインタフェース機能を提供する。回線インタフェース回路４０２は、他の伝送装置から受信したフレームの処理し、他の伝送装置へ送信するフレームを処理する。また、回線インタフェース回路４０２は、制御回路４０１の指示に従って所定の伝送経路に対する回線遅延時間を測定し、測定結果を制御回路４０１へ送信する。回線インタフェース回路４０２は、コード生成部２０１、挿入部２０２、検出部２０３、比較部２０４、測定カウンタ２０５、競合制御部２０６、及びタイミング制御部２０７に対応する。回線インタフェース回路４０２は、着脱可能なモジュールやカードであってもよい。
【００４５】
スイッチ回路４０３は、伝送装置４００内において回線インタフェース回路４０２とデータ信号線を介して接続され、回線インタフェース回路４０２間のフレーム転送のスイッチ機能を提供する。スイッチ回路４０３は、着脱可能なモジュールやカードであってもよい。
【００４６】
なお、制御回路４０１、回線インタフェース回路４０２、及びスイッチ回路４０３は、伝送装置４００のマザーボード(マザーカード)と一体化されてもよい。また、図６には、４つの回線インタフェース回路４０２が示されているが、伝送装置４００に含まれる回線インタフェース回路４０２の数は、1以上の任意であってよい。
【００４７】
伝送装置２００の各部の具体的な動作の一例を以下に説明する。図７は、実施形態に従った伝送装置が行う伝送遅延測定の説明図である。図７には、第１の伝送装置２００−Ａと第２の伝送装置２００−Ｂとの間の所定の伝送経路に対する回線遅延時間の測定を伝送装置２００−Ａが行う一例が示されている。第１の伝送装置２００−Ａ及び第２の伝送装置２００−Ｂは、伝送網システム１００に含まれる任意の伝送装置２００である。
【００４８】
まず、第１の伝送装置２００−Ａのコード生成部２０１は、測定開始フラグ、第１の伝送装置２００―Ａの識別コード、及び測定競合フラグを含む遅延測定情報を生成する。コード生成部２０１は、生成した遅延測定情報を挿入部２０２へ送信する。
【００４９】
第１の伝送装置２００−Ａの挿入部２０２は、コード生成部２０１から送信された遅延測定情報を受信する。挿入部２０２は、受信した遅延測定情報を、測定対象の伝送経路を通じて第２の伝送装置２００−Ｂへ送信される複数のフレームに夫々含まれる遅延測定信号に順次挿入する。図８は、遅延測定情報が挿入された遅延測定信号列の例図である。図８には、複数のフレームに夫々1ビットの遅延測定信号が含まれるケースが一例として示されている。例えば挿入対象のフレームがOTNフレームである場合、各フレームに含まれる1ビットの遅延測定信号は、DM信号(DMp信号又はDMti信号)である。遅延測定情報に含まれる各1ビットの情報は、“TIME”の矢印で示される図８の左から右の方向に沿って各フレーム内の遅延測定信号に順次挿入される。そして、遅延測定情報が挿入された遅延測定信号は、測定対象の伝送経路を通じて対向装置へ順次送信される。
【００５０】
具体的には、挿入部２０２は、コード生成部２０１から受信した測定開始フラグをフレーム内の遅延測定信号にまず挿入する。例えば未使用時における測定開始フラグの値が“0”である場合、コード生成部２０１は、値“が反転した“1”を測定開始フラグとして生成し、生成した遅延測定情報を挿入部２０２へ送信する。そこで、図８に示す一例では、挿入部２０２は、コード生成部２０１から受信した測定開始フラグの値“1”をフレーム内の遅延測定信号にまず挿入する。
【００５１】
次に、挿入部２０２は、コード生成部２０１から受信した伝送装置２００の識別コードを後続のフレーム内の遅延測定信号に挿入する。例えば伝送装置２００の識別コードのビット数が7ビットである場合、挿入部２０２は、伝送装置２００の識別コードに含まれる各1ビットを、7つのフレーム内の遅延測定信号に順次挿入する。図８に示す一例では、挿入部２０２は、第１の伝送装置２００−Ａの識別コード“0000100”の各1ビットを7つのフレーム内の遅延測定信号に順次挿入する。なお、伝送装置２００の識別コードのビット数は、7ビットに限られず任意であってよい。伝送装置２００の識別コードを遅延測定信号に挿入すると、挿入部２０２は、回線遅延時間のカウントを測定カウンタ２０５に開始させる。
【００５２】
そして、挿入部２０２は、コード生成部２０１から受信した測定競合フラグを後続のフレーム内の遅延測定信号に挿入する。図８に示す一例では、測定競合フラグが立てられていない状態を示す値“0”が遅延測定信号に挿入される。こうして、図７に示すように、遅延測定情報に含まれる各1ビットが遅延測定信号に順次挿入される度に、遅延測定情報を含むフレームは、挿入部２０２を介して第１の伝送装置２００−Ａから第２の伝送装置２００−Ｂへ送信される。
【００５３】
図７に示すように、第１の伝送装置２００−Ａから送信された、遅延測定情報を含む複数のフレームは、第２の伝送装置２００−Ｂにより受信される。第２の伝送装置２００−Ｂは、第１の伝送装置２００−Ａが送信した遅延測定情報を含む、複数のフレームを第１の伝送装置２００−Ａへ送信する。
【００５４】
第１の伝送装置２００−Ａの検出部２０３は、第２の伝送装置２００−Ｂから送信されたフレームを順次受信する。そして、検出部２０３は、受信したフレームの遅延測定信号から測定開始フラグを検出する。測定開始フラグを検出すると、検出部２０３は、測定開始フラグが検出されたフレームに後続するフレーム内の遅延測定信号から伝送装置２００又は対向装置の識別コードを検出する。そして、検出部２０３は、検出された識別コードを比較部２０４へ送信する。
【００５５】
第１の伝送装置２００−Ａの比較部２０４は、検出部２０３から送信された、伝送装置２００又は対向装置の識別コードを受信する。そして、比較部２０４は、受信した識別コードと、当該伝送装置２００の識別コードとを比較し、両者識別コードが一致するか否かを判定する。図７に示す一例では、比較部２０４は、受信した識別コードが第１の伝送装置２００−Ａの識別コード“0000100”と一致するか否かを判定する。両識別コードが一致すると判定した場合、比較部２０４は、回線遅延時間のカウントを測定カウンタ２０５に終了させる。こうして、所定の伝送経路に対する回線遅延時間は、測定カウンタ２０５のカウント値により獲得される。
【００５６】
このように、伝送装置２００は、伝送装置２００の識別コードと、対向装置から受信したフレーム内の遅延測定信号に含まれる識別コードとを比較する。こうした比較によって、伝送装置２００は、受信したフレーム内の遅延測定信号が示す遅延測定情報が伝送装置２００及び対向装置の何れが送信した遅延測定情報なのかを識別する。したがって、伝送装置２００によれば、伝送装置２００及び対向装置との間の伝送経路に対する回線遅延時間を対向装置が測定するか否かに係らず、該伝送経路に対する回線遅延時間を測定できる。
【００５７】
また、上述のように、伝送装置２００は、例えば伝送装置２００の識別コードといった、回線遅延時間を伝送装置２００が自律的に測定するために用いられる情報を、送信対象のフレーム内に含まれる測定遅延信号に挿入する。例えば、送信対象のフレームがOTNフレームである場合、伝送装置２００は、複数のOTNフレームに夫々含まれる1ビットのDM信号に伝送装置２００の識別コードを順次挿入する。前述したように、DM信号は回線遅延時間の測定用にITU-T G.709で定義される。したがって、伝送装置２００によれば、伝送経路に対する回線遅延時間を伝送装置２００が自律的に測定するため用いられる情報を、ITU-T G.709といった所定の通信規格で定義された遅延測定信号を用いて対向装置と送受信できる。
【００５８】
次に、伝送装置２００及び対向装置による、伝送経路に対する回線遅延時間の測定が対向装置内で競合したケースの一例を説明する。例えば、第２の伝送装置２００−Ｂ内において、第１の伝送装置２００−Ａが送信した遅延測定情報が検出部２０３により検出されたと仮定する。また、第２の伝送装置２００−Ｂ内において、コード生成部２０１により遅延測定情報が生成されたと仮定する。第２の伝送装置２００−Ｂ内において、生成された第２の伝送装置２００−Ｂの遅延測定情報と検出された第１の伝送装置２００−Ａの遅延測定情報とが遅延測定信号に夫々挿入されるタイミングは、競合制御部２０６により以下のように制御される。
【００５９】
競合制御部２０６は、コード生成部２０１により生成された遅延測定情報と検出部２０３により検出された遅延測定情報とが遅延測定信号に挿入されるタイミングが競合しないように制御する。具体的には、競合制御部２０６は、伝送装置２００（例えば、第２の伝送装置２００−Ｂ）の識別コードが生成された生成時点の通知をコード生成部２０１から受ける。また、競合制御部２０６は、対向装置（例えば、第１の伝送装置２００−Ａ）の識別コードが検出された検出時点の通知を検出部２０３から受ける。競合制御部２０６は、通知を受けた両時点の内遅い時点に関する遅延測定情報が遅延測定信号に挿入されるタイミングを遅らせる。
【００６０】
図９は、伝送装置及び対向装置の遅延測定情報が遅延測定信号に挿入されるタイミングを説明する第１の例図である。図９の（２）〜（６）に記載の信号線Ａ〜Ｄは、図５中に示した信号線Ａ〜Ｄに夫々対応する。図９には、対向装置が送信した遅延測定情報が検出部２０３により検出された時点が、当該伝送装置２００の遅延測定情報がコード生成部２０１により生成された時点よりも早いケースが示されている。競合制御部２０６は、検出部２０３により検出された遅延測定情報が、コード生成部２０１により生成された遅延測定情報よりも先に、挿入部２０２により遅延測定信号に挿入されるように制御する。すなわち、競合制御部２０６は、コード生成部２０１により生成された遅延測定情報が挿入部２０２により遅延測定信号に挿入される挿入タイミングを遅らせる。
【００６１】
具体的には、図９の（１）及び（２）に示す一例では、伝送装置２００の識別コードをコード生成部２０１が生成する時点よりも早い時点で、検出部２０３は、対向装置が送信した、対向装置の識別コードを検出する。検出部２０３は検出時点を競合制御部２０６へ通知する。検出時点の通知を受信すると、競合制御部２０６は、検出された遅延測定情報を挿入部２０２へ送信するように検出部２０３に指示する。図９の（４）に示すように、検出部２０３は、競合制御部２０６から受信した指示に従って、検出した遅延測定情報を挿入部２０２へ送信する。
【００６２】
また、競合制御部２０６は、検出部２０３から受信した遅延測定情報を遅延測定信号に挿入するように挿入部２０２に指示する。具体的には、競合制御部２０６は、検出部２０３から受信した遅延測定情報を挿入部２０２が遅延測定信号に挿入することを許可する挿入許可信号を挿入部２０２へ送信する。図９の（５）に示す一例では、競合制御部２０６は、挿入許可信号の値を“0”に設定することで、検出部２０３から受信した遅延測定情報を遅延測定信号に挿入するように挿入部２０２に指示する。図９の（６）に示すように、挿入部２０２は、競合制御部２０６から受信した挿入指示に従って、検出部２０３から受信した遅延測定情報を遅延測定信号に挿入する。
【００６３】
一方、図９（１）及び（２）に示す一例では、対向装置の識別コードを検出部２０３が検出した時点よりも遅い時点で、コード生成部２０１は、伝送装置２００の識別コードを生成する。コード生成部２０１は生成時点を競合制御部２０６へ通知する。生成時点の通知を受信すると、競合制御部２０６は、コード生成部２０１が生成した遅延測定情報と検出部２０３が検出した遅延測定情報とが遅延測定信号に挿入されるタイミングが競合するか否かを判定する。具体的には、競合制御部２０６は、生成又は検出された各遅延測定情報の内、一方の遅延測定情報が遅延測定信号に挿入されている間に、他方の遅延測定情報が生成又は検出されたか否かを判定する。
【００６４】
例えば、生成又は検出される遅延測定情報のビット数は9ビットであると仮定する。また、複数の遅延測定情報が遅延測定信号に夫々挿入されるタイミングが競合しないように、時間的に後続する遅延測定情報は、先行する遅延測定情報の先頭ビットが挿入された先頭フレームから10フレーム後のフレームから順次挿入されるものと仮定する。この仮定では、競合制御部２０６は、検出時点と生成時点との間隔が10フレームに相当する時間間隔未満であるか否かを判定する。図９の（１）及び（２）に示す一例では、検出時点と生成時点との間隔は、10フレームに相当する時間間隔未満である。そこで、競合制御部２０６は、生成又は検出された各遅延測定情報が遅延測定信号に挿入されるタイミングが競合すると判定する。
【００６５】
生成又は検出された各遅延測定情報が遅延測定信号に挿入されるタイミングが競合すると判定された場合、競合制御部２０６は、後続する遅延測定情報が遅延測定信号に挿入されるタイミングを遅らせる。具体的には、競合制御部２０６は、先行する遅延測定情報の先頭ビットが遅延測定信号に挿入された後から所定数のフレームを空けて、後続する発生した遅延測定情報が遅延測定信号に順次挿入されるように制御する。「所定数のフレーム」とは、異なる遅延測定情報を遅延測定信号に夫々挿入するために望まれる数のフレームである。図９に示す一例では、所定のフレーム間隔は10フレームである。
【００６６】
例えば、競合制御部２０６は、先行して検出（又は生成）された遅延測定情報を挿入部２０２へ送信するように検出部２０３（又はコード生成部２０１）に指示してから所定時間を待機する。そして、競合制御部２０６は、後続して生成（又は検出）された遅延測定情報を挿入部２０２へ送信するようにコード生成部２０１（又は検出部２０３）に指示する。「所定時間」とは、異なる遅延測定情報を遅延測定信号に夫々挿入するために望まれる、所定数のフレームに相当する時間を指す。図９に示す一例では、競合制御部２０６は、検出された遅延測定情報を挿入部２０２へ送信するように検出部２０３に指示してから10フレームに相当する時間待機する。そして、競合制御部２０６は、生成された遅延測定情報を挿入部２０２へ送信するようにコード生成部２０１に指示する。
【００６７】
コード生成部２０１は、競合制御部２０６から受信した指示に従って、生成された遅延測定情報を挿入部２０２へ送信する。図９の（３）及び（４）に示す一例では、検出部２０３が遅延測定情報を送信してから10フレームに相当する時間が経過した後に、コード生成部２０１は遅延測定情報を挿入部２０２へ送信する。
【００６８】
また、競合制御部２０６は、先行して受信した遅延測定情報を遅延測定信号に挿入することを許可する挿入許可信号を挿入部２０２へ送信してから所定時間待機する。そして、競合制御部２０６は、後続して受信した遅延測定情報を遅延測定信号に挿入することを許可する挿入許可信号を挿入部２０２へ送信する。前述したように、「所定時間」とは、異なる遅延測定情報を遅延測定信号に夫々挿入するために望まれる、所定数のフレームに相当する時間を指す。
【００６９】
図９に示す一例では、競合制御部２０６は、検出部２０３から受信した遅延測定情報を遅延測定信号に挿入することを許可する挿入許可信号を挿入部２０２へ送信してから10フレームに相当する時間待機する。そして、競合制御部２０６は、コード生成部２０１から受信した遅延測定情報を遅延測定信号に挿入することを許可する挿入許可信号を挿入部２０２へ送信する。図９の（５）に示す一例では、競合制御部２０６は、挿入許可信号の値を“1”に設定することで、コード生成部２０１から受信した遅延測定情報を遅延測定信号に挿入するように挿入部２０２に指示する。
【００７０】
挿入部２０２は、競合制御部２０６による挿入指示に従って、後続して受信した遅延測定情報を遅延測定信号に挿入する。図９の（６）に示す一例では、検出部２０３から受信した遅延測定情報の先頭ビットを遅延測定信号に挿入してから10フレーム後に、挿入部２０２は、コード生成部２０１から受信した遅延測定情報を遅延測定信号に挿入する。
【００７１】
このように、第２の伝送装置２００−Ｂ内において、競合制御部２０６は、コード生成部２０１により生成された遅延測定情報と検出部２０３により検出された遅延測定情報とが遅延測定信号に挿入されるタイミングが競合しないように制御する。また、図９に示す一例のように検出時点が生成時点よりも早い場合には、検出部２０３により検出された遅延測定情報が遅延測定信号に挿入されるタイミングは遅れない。このため、第１の伝送装置２００−Ａは、第２の伝送装置２００−Ｂから返送された遅延測定情報を用いて回線遅延時間を測定できる。したがって、実施形態に従った伝送装置２００によれば、伝送装置２００及び対向装置による、伝送経路に対する回線遅延時間の測定が伝送装置２００内で競合するか否かに係らず、該伝送経路に対する回線遅延時間を自律的に測定できる。
【００７２】
図１０は、伝送装置及び対向装置の遅延測定情報が遅延測定信号に挿入されるタイミングを説明する第２の例図である。図１０の（２）〜（６）に記載の信号線Ａ〜Ｄは、図５中に示した信号線Ａ〜Ｄに夫々対応する。図１０には、伝送装置２００の遅延測定情報がコード生成部２０１により生成された時点が、対向装置が送信した遅延測定情報が検出部２０３により検出された時点よりも早いケースが示されている。競合制御部２０６は、コード生成部２０１により生成された遅延測定情報が、検出部２０３により検出された遅延測定情報よりも先に、挿入部２０２により遅延測定信号に挿入されるように制御する。すなわち、競合制御部２０６は、検出部２０３により検出された遅延測定情報が挿入部２０２により遅延測定信号に挿入される挿入タイミングを遅らせる。
【００７３】
具体的には、図１０の（１）及び（２）に示す一例では、対向装置の識別コードを検出部２０３が検出する時点よりも早い時点で、コード生成部２０１は、伝送装置２００の識別コードを生成する。コード生成部２０１は生成時点を競合制御部２０６へ通知する。生成時点の通知を受信すると、競合制御部２０６は、生成された遅延測定情報を挿入部２０２へ送信するようにコード生成部２０１に指示する。図１０の（３）に示すように、コード生成部２０１は、競合制御部２０６から受信した指示に従って、生成した遅延測定情報を挿入部２０２へ送信する。
【００７４】
また、競合制御部２０６は、コード生成部２０１から受信した遅延測定情報を遅延測定信号に挿入するように挿入部２０２に指示する。具体的には、競合制御部２０６は、コード生成部２０１から受信した遅延測定情報を挿入部２０２が遅延測定信号に挿入することを許可する挿入許可信号を挿入部２０２へ送信する。図１０の（５）に示す一例では、競合制御部２０６は、挿入許可信号の値を“1”に設定することで、コード生成部２０１から受信した遅延測定情報を遅延測定信号に挿入するように挿入部２０２に指示する。図１０の（６）に示すように、挿入部２０２は、競合制御部２０６から受信した挿入指示に従って、コード生成部２０１から受信した遅延測定情報を遅延測定信号に挿入する。
【００７５】
一方、図１０（１）及び（２）に示す一例では、伝送装置２００の識別コードをコード生成部２０１が生成した時点よりも遅い時点で、検出部２０３は、対向装置の識別コードを検出する。検出部２０３は検出時点を競合制御部２０６へ通知する。検出時点の通知を受信すると、競合制御部２０６は、コード生成部２０１が生成した遅延測定情報と検出部２０３が検出した遅延測定情報とが遅延測定信号に挿入されるタイミングが競合するか否かを判定する。具体的には、競合制御部２０６は、生成又は検出された各遅延測定情報の内、一方の遅延測定情報が遅延測定信号に挿入されている間に、他方の遅延測定情報が生成又は検出されたか否かを判定する。
【００７６】
例えば、図９を参照しながら前述したように、競合制御部２０６は、検出時点と生成時点との間隔が10フレームに相当する時間間隔未満であるか否かを判定する。図１０の（１）及び（２）に示す一例では、検出時点と生成時点との間隔は、10フレームに相当する時間間隔未満である。そこで、競合制御部２０６は、コード生成部２０１が生成した遅延測定情報と検出部２０３が検出した遅延測定情報とが遅延測定信号に挿入されるタイミングが競合すると判定する。
【００７７】
生成又は検出された各遅延測定情報が遅延測定信号に挿入されるタイミングが競合すると判定された場合、競合制御部２０６は、後続する遅延測定情報が遅延測定信号に挿入されるタイミングを遅らせる。具体的には、競合制御部２０６は、先行する遅延測定情報の先頭ビットが遅延測定信号に挿入された後から所定数のフレームを空けて、後続する遅延測定情報が遅延測定信号に順次挿入されるように制御する。図１０に示す一例では、競合制御部２０６は、生成された遅延測定情報を挿入部２０２へ送信するようにコード生成部２０１に指示してから10フレームに相当する時間待機する。そして、競合制御部２０６は、検出された遅延測定情報を挿入部２０２へ送信するように検出部２０３に指示する。
【００７８】
また、図１０に示す一例のように、後続する遅延測定情報が対向装置から送信された遅延測定情報である場合、競合制御部２０６は、後続する遅延測定情報に含まれる測定競合フラグを立てるように検出部２０３に指示する。
【００７９】
検出部２０３は、競合制御部２０６から受信した指示に従って、検出された測定競合フラグを立てる。そして、検出部２０３は、競合制御部２０６から受信した指示に従って、立てられた測定競合フラグを含む遅延測定情報を挿入部２０２へ送信する。図１０の（３）及び（４）に示す一例では、コード生成部２０１が遅延測定情報を送信してから10フレームに相当する時間が経過した後に、検出部２０３は遅延測定情報を挿入部２０２へ送信する。
【００８０】
また、競合制御部２０６は、先行して受信した遅延測定情報を遅延測定信号に挿入することを許可する挿入許可信号を挿入部２０２へ送信してから所定時間待機する。そして、競合制御部２０６は、後続して受信した遅延測定情報を遅延測定信号に挿入することを許可する挿入許可信号を挿入部２０２へ送信する。図１０に示す一例では、競合制御部２０６は、コード生成部２０１から受信した遅延測定情報を遅延測定信号に挿入することを許可する挿入許可信号を挿入部２０２へ送信してから10フレームに相当する時間待機する。そして、競合制御部２０６は、検出部２０３から受信した遅延測定情報を遅延測定信号に挿入することを許可する挿入許可信号を挿入部２０２へ送信する。図１０の（５）に示す一例では、競合制御部２０６は、挿入許可信号の値を“0”に設定することで、検出部２０３から受信した遅延測定情報を遅延測定信号に挿入するように挿入部２０２に指示する。
【００８１】
挿入部２０２は、競合制御部２０６による挿入指示に従って、検出部２０３から受信した遅延測定情報を遅延測定信号に挿入する。図１０の（６）に示す一例では、コード生成部２０１から受信した遅延測定情報の先頭ビットを遅延測定信号に挿入してから10フレーム後に、挿入部２０２は、検出部２０３から受信した遅延測定情報を遅延測定信号に挿入する。
【００８２】
このように、第２の伝送装置２００−Ｂ内において、競合制御部２０６は、コード生成部２０１により生成された遅延測定情報と検出部２０３により検出された遅延測定情報とが遅延測定信号に挿入されるタイミングが競合しないように制御する。また、図１０に示す一例のように生成時点が検出時点よりも早い場合には、競合制御部２０６は、検出された遅延測定情報に含まれる測定競合フラグを立てるように検出部２０３に指示する。そして、第１の伝送装置２００−Ａにおいて、検出部２０３は、第２の伝送装置２００−Ｂから返送された遅延測定情報の中から、立てられた遅延測定フラグを検出し、回線遅延時間の測定に誤差が生じたことを特定する。回線遅延時間の測定に生じた誤差とは、第１の伝送装置２００が送信した遅延測定情報を第２の伝送装置２００−Ｂが遅延測定信号に挿入するタイミングが遅れたことにより生じた誤差を指す。第１の伝送装置２００−Ａは、送信した遅延測定情報を用いた回線遅延時間の測定が失敗したことを特定し、回線遅延時間を再度測定するために遅延測定情報を再度生成及び送信すると決定する。したがって、実施形態に従った伝送装置２００によれば、伝送装置２００及び対向装置による、伝送経路に対する回線遅延時間の測定が伝送装置２００内で競合するか否かに係らず、該伝送経路に対する回線遅延時間を自律的に測定できる。
【００８３】
また、上述したように、実施形態に従った伝送装置２００は、例えば測定競合フラグといった、伝送経路に対する回線遅延時間を伝送装置２００が自律的に測定するために用いられる情報を、送信対象のフレーム内に含まれる測定遅延信号に挿入する。例えば、送信対象のフレームがOTNフレームである場合、伝送装置２００は、OTNフレームに含まれる1ビットのDM信号に測定競合フラグを挿入する。前述したように、DM信号は回線遅延時間の測定用にITU-T G.709で定義される。したがって、伝送装置２００によれば、伝送経路に対する回線遅延時間を伝送装置２００が自律的に測定するために用いられる情報を、ITU-T G.709といった所定の通信規格で定義された遅延測定信号を用いて対向装置と送受信することができる。
【００８４】
実施形態に従った伝送装置２００によって行われる伝送遅延測定方法の一例を図１１Ａ、図１１Ｂ、及び図１２を更に参照しながら説明する。
【００８５】
図１１Ａ及び図１１Ｂは、実施形態に従った伝送装置が行う例示的な遅延測定情報の送信処理フロー図である。伝送装置２００は、所定の伝送経路に対する回線遅延時間を測定するために、遅延測定情報を対向装置へ送信するための一連の処理を開始する（ステップＳ１００１）。タイミング制御部２０７は、カウントされた競合回数が予め設定された所定値Ｎを超えるか否かを判定する（ステップＳ１００２）。前述したように、競合回数は、伝送装置２００及び対向装置による回線遅延時間の測定が対向装置内で競合した回数である。
【００８６】
カウントされた競合回数が予め設定された所定値Ｎ以下であると判定される場合（ステップＳ１００２で“ＹＥＳ”）、タイミング制御部２０７は、遅延測定情報の生成をコード生成部２０１に指示する。
【００８７】
一方、カウントされた競合回数が予め設定された所定値Ｎを超えると判定される場合（ステップＳ１００２で“ＹＥＳ”）、タイミング制御部２０７は、コード生成部２０１が遅延測定情報を生成する生成タイミングを所定時間だけ遅らせるために、所定時間待機する。所定時間経過後、タイミング制御部２０７は、競合回数の値を“0”にリセットする（ステップＳ１００３）。そして、タイミング制御部２０７は、遅延測定情報の生成をコード生成部２０１に指示する。
【００８８】
コード生成部２０１は、タイミング制御部２０７から受信した指示に従って遅延測定情報を生成する（ステップＳ１００５）。具体的には、コード生成部２０１は、測定開始フラグをまず生成し、伝送装置２００の識別コードを次に生成する。コード生成部２０１は、伝送装置２００の識別コードを生成した生成時点を競合制御部２０６に通知する。そして、コード制御部２０１は、測定競合フラグを生成する。
【００８９】
競合制御部２０６は、伝送装置２００及び対向装置による、測定対象の伝送経路に対する回線遅延時間の測定が伝送装置２００内で競合するか否かを判定する（ステップＳ１００６）。具体的には、競合制御部２０６は、コード生成部２０１から受信した生成時点と検出部２０３から受信した検出時点との間隔が所定の時間間隔未満であるか否かを判定する。前述したように、「所定の時間間隔」とは、異なる遅延測定情報を遅延測定信号に夫々挿入するために望まれる、所定数のフレームに相当する時間間隔を指す。前述したように、検出部２０３は、対向装置の識別コードを検出した検出時点を競合制御部２０６に通知する。例えば、検出部２０３が検出した識別コードとコード生成部２０１が生成した識別コードとが一致しないと比較部２０４が判定することによって、検出部２０３により検出された識別コードは対向装置の識別コードであると特定される。
【００９０】
伝送装置２００及び対向装置による回線遅延時間の測定が伝送装置２００内で競合しないと判定される場合（ステップＳ１００６で“ＮＯ”）、競合制御部２０６は、コード生成部２０１が生成した遅延測定情報を挿入部２０２に遅延測定信号に順次挿入させる。具体的には、競合制御部２０６は、生成された遅延測定情報を挿入部２０２へ順次送信するようにコード生成部２０１に指示する。また、競合制御部２０６は、コード生成部２０１から受信した遅延測定情報を遅延測定信号に順次挿入するように挿入部２０２に指示する。
【００９１】
コード生成部２０１は、競合制御部２０６から受信した送信指示に従って、生成した測定開始フラグを挿入部２０２へ送信する。挿入部２０２は、競合制御部２０６から受信した挿入指示に従って、コード生成部２０１から受信した測定開始フラグを、対向装置へ送信されるフレーム内の遅延測定信号に挿入する（ステップＳ１００７）。挿入部２０２は、遅延測定信号に測定開始フラグを含むフレームを対向装置へ向けて送信する。
【００９２】
コード生成部２０１は、競合制御部２０６から受信した送信指示に従って、生成した、伝送装置２００の識別コードを挿入部２０２へ送信する。挿入部２０２は、競合制御部２０６から受信した挿入指示に従って、コード生成部２０１から受信した、伝送装置２００の識別コードを、対向装置へ送信されるフレーム内の遅延測定信号に挿入する（ステップＳ１００８）。そして、コード生成部２０１から受信した、伝送装置２００の識別コードを遅延測定信号に挿入すると、挿入部２０２は、回線遅延時間のカウントを測定カウンタ２０５に開始させる（ステップＳ１００９）。挿入部２０２は、遅延測定信号に伝送装置２００の識別コードを含むフレームを対向装置へ向けて送信する。
【００９３】
コード生成部２０１は、競合制御部２０６から受信した送信指示に従って、生成した測定競合フラグを挿入部２０２へ送信する。挿入部２０２は、競合制御部２０６から受信した挿入指示に従って、コード生成部２０１から受信した測定競合フラグを、対向装置へ送信されるフレーム内の遅延測定信号に挿入する（ステップＳ１０１０）。挿入部２０２は、遅延測定信号に測定競合フラグを含むフレームを対向装置へ向けて送信する。そして、伝送装置２００は、遅延測定情報を対向装置へ送信するための一連の処理を終了する（ステップＳ１０２３）。
【００９４】
一方、伝送装置２００及び対向装置による回線遅延時間の測定が伝送装置２００内で競合すると判定される場合（ステップＳ１００６で“ＹＥＳ”）、競合制御部２０６は、生成時点が検出時点よりも早いか否かを判定する（ステップステップＳ１０１１）。
【００９５】
伝送装置２００の識別コードの生成時点が対向装置の識別コードの検出時点よりも早いと判定される場合（ステップＳ１０１１で“ＹＥＳ”）、競合制御部２０６は、対向装置の遅延測定情報が遅延測定信号に挿入されるタイミングを遅らせる。
【００９６】
具体的には、まず、競合制御部２０６は、コード生成部２０１が生成した遅延測定情報を挿入部２０２に遅延測定信号に順次挿入させる。コード生成部２０１は、競合制御部２０６から受信した送信指示に従って、生成した遅延測定情報を挿入部２０２へ順次送信する。挿入部２０２は、競合制御部２０６から受信した挿入指示に従って、コード生成部２０１から受信した遅延測定情報を、対向装置へ送信されるフレーム内の遅延測定信号に順次挿入し、該フレームを対向装置へ向けて順次送信する。また、挿入部２０２は、回線遅延時間のカウントを測定カウンタ２０５に開始させる（ステップＳ１０１２〜ステップＳ１０１５）。ステップＳ１０１２〜ステップＳ１０１５での処理は、前述したステップＳ１００７〜ステップＳ１０１０での処理と同様である。
【００９７】
次に、競合制御部２０６は、検出された測定競合フラグを立てるように検出部２０３に指示する。検出部２０３は、競合制御部２０６から受信した指示に従って、検出した測定競合フラグを立てる（ステップＳ１０１６）。
【００９８】
コード生成部２０１への送信指示及び挿入部２０２への挿入指示を送信してから所定時間が経過した後、競合制御部２０６は、検出部２０３が検出した遅延測定情報を挿入部２０２に遅延測定信号に順次挿入させる。具体的には、競合制御部２０６は、検出された遅延測定情報を挿入部２０２へ順次送信するように検出部２０３に指示する。また、競合制御部２０６は、検出部２０３から受信した遅延測定情報を遅延測定信号に順次挿入するように挿入部２０２に指示する。なお、「所定時間」とは、異なる遅延測定情報を遅延測定信号に夫々挿入するために望まれる、所定数のフレームに相当する時間を指す。
【００９９】
検出部２０３は、競合制御部２０６から受信した送信指示に従って、検出した遅延測定情報を挿入部２０２へ順次送信する。挿入部２０２は、競合制御部２０６から受信した挿入指示に従って、検出部２０３から受信した遅延測定情報を、対向装置へ送信されるフレーム内の遅延測定信号に順次挿入する（ステップＳ１０１７）。挿入部２０２は、遅延測定信号に遅延測定情報を含むフレームを対向装置へ向けて順次送信する。そして、伝送装置２００は、遅延測定情報を対向装置へ送信するための一連の処理を終了する（ステップＳ１０２３）。
【０１００】
一方、伝送装置２００の識別コードの生成時点が対向装置の識別コードの検出時点と同じか遅いと判定される場合（ステップＳ１０１１で“ＮＯ”）、競合制御部２０６は、伝送装置２００の遅延測定情報が遅延測定信号に挿入されるタイミングを遅らせる。
【０１０１】
具体的には、競合制御部２０６は、検出部２０３が検出した遅延測定情報を挿入部２０２に遅延測定信号にまず挿入させる。検出部２０３は、競合制御部２０６から受信した送信指示に従って、検出した遅延測定情報を挿入部２０２へ順次送信する。挿入部２０２は、競合制御部２０６から受信した挿入指示に従って、検出部２０３から受信した遅延測定情報を、対向装置へ送信されるフレーム内の遅延測定信号に順次挿入し、該フレームを対向装置へ向けて順次送信する（ステップＳ１０１８）。ステップＳ１０１８での処理は、前述したステップＳ１０１７での処理と同様である。
【０１０２】
次に、検出部２０３への送信指示及び挿入部２０２への挿入指示を送信してから所定時間が経過した後、競合制御部２０６は、コード生成部２０１が生成した遅延測定情報を挿入部２０２に遅延測定信号に順次挿入させる。コード生成部２０１は、競合制御部２０６から受信した送信指示に従って、生成した遅延測定情報を挿入部２０２へ順次送信する。挿入部２０２は、競合制御部２０６から受信した挿入指示に従って、コード生成部２０１から受信した遅延測定情報を、対向装置へ送信されるフレーム内の遅延測定信号に順次挿入し、該フレームを対向装置へ向けて順次送信する。また、挿入部２０２は、回線遅延時間のカウントを測定カウンタ２０５に開始させる（ステップＳ１０１９〜ステップＳ１０２２）。ステップＳ１０１９〜ステップＳ１０２２での処理は、前述したステップＳ１００７〜ステップＳ１０１０での処理と同様である。そして、伝送装置２００は、遅延測定情報を対向装置へ送信するための一連の処理を終了する（ステップＳ１０２３）。
【０１０３】
図１２は、実施形態に従った伝送装置が行う例示的な遅延測定情報の受信処理フロー図である。伝送装置２００は、遅延測定信号に挿入された遅延測定情報を対向装置から受信するための一連の処理を開始する（ステップＳ２００１）。検出部２０３は、対向装置から送信されたフレームを順次受信し、受信したフレーム内の遅延測定信号から測定開始フラグを検出するまで待つ（ステップＳ２００２で“ＮＯ”）。受信したフレーム内の遅延測定信号から測定開始フラグを検出すると（ステップＳ２００２で“ＹＥＳ”）、検出部２０３は、測定開始フラグが挿入された遅延測定信号を含むフレームに後続するフレームの遅延測定信号から識別コードを検出する。検出部２０３は、検出した識別コードを比較部２０４へ送信する。
【０１０４】
比較部２０４は、検出部２０３が検出した識別コードを受信する。比較部２０４は、検出部２０３により検出された識別コードと、コード生成部２０１により生成された伝送装置２００の識別コードとを比較する。そして、比較部２０４は、両識別コードが一致するか否かを判定する（ステップＳ２００３）。
【０１０５】
両識別コードが一致しないと判定された場合（ステップＳ２００３で“ＮＯ”）、比較部２０４は、検出された識別コードは対向装置の識別コードであると検出部２０３に通知する。検出部２０３は、比較部２０４から受信した通知に従って、検出した遅延測定情報を挿入部２０２へ順次送信する。検出部２０３が送信する遅延測定情報には、測定開始フラグ、対向装置の識別コード、及び該対向装置の識別コードに続いて検出された測定競合フラグが含まれる。挿入部２０２は、検出部２０３から受信した遅延測定情報を、対向装置へ送信されるフレーム内の遅延測定信号に順次挿入する（ステップＳ２００４）。挿入部２０２は、遅延測定信号に遅延測定情報を含むフレームを対向装置へ向けて順次送信する。そして、伝送装置２００は、遅延測定情報を対向装置から受信するための一連の処理を終了する（ステップＳ２０１０）。
【０１０６】
一方、両識別コードが一致すると判定された場合（ステップＳ２００３で“ＹＥＳ”）、比較部２０４は、回線遅延時間のカウントを測定カウンタ２０５に終了させる（ステップＳ２００５）。また、比較部２０４は、検出された識別コードは伝送装置２００の識別コードであると検出部２０３に通知する。検出部２０３は、伝送装置２００の識別コードに続いて検出された測定競合フラグが立っているか否かを確認する（ステップＳ２００６）。
【０１０７】
検出された測定競合フラグが立っていないと確認された場合（ステップＳ２００６で“ＮＯ”）、検出部２０３は、遅延測定情報を用いた回線遅延時間の測定が成功したことを特定する（ステップＳ２００７）。回線遅延時間の測定が成功したことが特定され場合、伝送装置２００と対向装置との間の所定の伝送経路に対する回線遅延時間は、測定カウンタ２０５によりカウントされた値である。伝送装置２００は、遅延測定情報を対向装置から受信するための一連の処理を終了する（ステップＳ２０１０）。
【０１０８】
検出された測定競合フラグが立っていると確認される場合（ステップＳ２００６で“ＹＥＳ”）、検出部２０３は、遅延測定情報を用いた回線遅延時間の測定が失敗したことを特定する（ステップＳ２００８）。検出部２０３は、検出した測定競合フラグが立っていることをタイミング制御部２０７に通知する。タイミング制御部２０７は、検出部２０３から受信した通知に従って競合回数を1つ増加させる（ステップＳ２００９）。そして、伝送装置２００は、遅延測定情報を対向装置から受信するための一連の処理を終了する（ステップＳ２０１０）。
【０１０９】
遅延測定情報を用いた回線遅延時間の測定が失敗した場合、伝送装置２００は、例えば図１１Ａ及び図１１Ｂに示すような処理を実行することで、回線遅延時間の測定を自律的に再度実行してよい。例えば、検出された測定競合フラグが立っているとの通知を検出部２０３から受信した場合、タイミング制御部２０７は、遅延測定情報の生成をコード生成部２０１に再度指示する（図１１ＡのステップＳ１００２〜ステップＳ１００４）。
【０１１０】
このように、伝送装置２００は、伝送装置２００の識別コードと、受信されたフレーム内の遅延測定信号に含まれる識別コードとを比較する。こうした比較によって、伝送装置２００は、受信したフレーム内の遅延測定信号が示す遅延測定情報が伝送装置２００及び対向装置の何れが送信した遅延測定情報なのかを識別する。したがって、伝送装置２００によれば、伝送装置２００及び対向装置との間の伝送経路に対する回線遅延時間を対向装置が測定するか否かに係らず、該伝送経路に対する回線遅延時間を自律的に測定できる。
【０１１１】
また、伝送装置２００は、生成された伝送装置２００の遅延測定情報と検出された対向装置の遅延測定情報とが遅延測定信号に挿入されるタイミングが競合しないように制御する。また、挿入タイミングの制御によって、対向装置の遅延測定情報が遅延測定信号に挿入されるタイミングが遅れる場合、伝送装置２００は、立てられた測定競合フラグを対向装置へ返送する。したがって、実施形態に従った伝送装置２００によれば、伝送装置２００及び対向装置による、伝送経路に対する回線遅延時間の測定が伝送装置２００内で競合するか否かに係らず、該伝送経路に対する回線遅延時間を自律的に測定できる。
【０１１２】
さらに、伝送装置２００は、伝送装置２００が送信し対向装置から受信した遅延測定情報内の測定競合フラグが立っているか否かに従って、該遅延測定情報を用いた回線遅延時間の測定が成功したか否かを識別する。したがって、実施形態に従った伝送装置２００によれば、測定された回線遅延時間の中から正確な回線遅延時間のみを選択することができる。
【０１１３】
そして、伝送装置２００は、伝送経路に対する回線遅延時間を伝送装置２００が自律的に測定するために用いられる複数ビットの情報を、送信対象の複数のフレーム内に含まれる測定遅延信号に順次挿入する。例えば、送信対象のフレームがOTNフレームである場合、伝送装置２００は、複数のOTNフレームに含まれる1ビットのDM信号に遅延測定情報を順次挿入する。前述したように、DM信号は回線遅延時間の測定用にITU-T G.709で定義される。したがって、伝送装置２００によれば、伝送経路に対する回線遅延時間を伝送装置が自律的に測定するために用いられる情報を、所定の通信規格で定義された遅延測定信号を用いて対向装置と送受信することができる。
【０１１４】
以上の実施例を含む実施形態に関し、更に以下の付記を開示する。
（付記１）
遅延測定情報を生成するコード生成部と、
前記コード生成部により生成された前記遅延測定情報に含まれる各ビットを複数フレーム内の各遅延測定信号に順次挿入し、前記遅延測定情報の各ビットが順次挿入された前記複数フレームを、回線遅延時間を測定する伝送経路上で対向する対向装置へ順次送信する挿入部と、
前記対向装置から送信された複数フレームを受信し、受信した前記複数のフレーム内の各遅延測定信号から前記遅延測定情報を検出する検出部と
を含む伝送装置。
（付記２）
前記遅延測定情報は、前記遅延測定情報を用いて所定の伝送経路に対する回線遅延時間を測定する伝送装置の識別コードを含み、
前記検出部は、検出された前記識別コードが前記伝送装置の識別コードである場合に、前記挿入部により送信された前記遅延測定情報を検出する
付記１に記載の伝送装置。
（付記３）
前記検出部により検出された前記識別コードが前記対向装置の識別コードである場合に、前記生成部により生成された遅延測定情報と前記検出部により検出された前記遅延測定情報とが前記挿入部により前記測定遅延信号に夫々挿入されるタイミングを制御する競合制御部を更に含む、付記２に記載の伝送装置。
（付記４）
前記遅延測定情報は、前記伝送装置及び前記対向装置による、前記回線遅延時間の測定が前記伝送装置内で競合するか否かを示す測定競合フラグを含み、
前記競合制御部は、前記生成部が前記識別コードを生成した時点よりも前記検出部が前記識別コードを検出した時点が遅い場合に、検出された前記測定競合フラグを前記検出部に立てさせ、立てられた前記測定競合フラグを含む前記検出部により検出された前記遅延測定情報を、前記コード生成部により生成された前記遅延測定情報の先頭ビットが前記遅延測定信号に挿入されてから所定数のフレーム後に前記挿入部に挿入させる
付記３に記載の伝送装置。
（付記５）
検出された前記識別コードが前記伝送装置の識別コードであり、検出された前記測定競合フラグが立っていない場合に、前記検出部は前記伝送経路に対する前記回線遅延測定が成功したことを特定する
付記４に記載の伝送装置。
（付記６）
検出された前記識別コードが前記伝送装置の識別コードであり、検出された前記測定競合フラグが立っている場合に、前記コード生成部は、前記遅延測定情報を再度生成する、付記４又は５に記載の伝送装置。
（付記７）
検出された前記識別コードが前記伝送装置の識別コードであって検出された前記測定競合フラグが立っている回数をカウントするタイミング制御部を更に含む、付記４〜６の何れか一項に記載の伝送装置。
（付記８）
前記回数が所定数を超える場合に、前記タイミング制御部は、前記コード生成部が前記遅延測定情報を生成するタイミングを所定時間遅らせる、付記７に記載の伝送装置。
（付記９）
測定対象の伝送経路上で対向する第１の伝送装置及び第２の伝送装置を含む伝送網システムであって、
第１の伝送装置は、遅延測定情報を生成し、生成した前記遅延測定情報に含まれる各ビットを複数フレーム内の各遅延測定信号に順次挿入し、前記遅延測定情報の各ビットが順次挿入された前記複数フレームを前記第２の伝送装置へ順次送信し、
前記第２の伝送装置は、前記第１の伝送装置から送信された前記複数フレームを受信し、受信した前記複数フレーム内の各遅延測定信号から前記遅延測定情報を検出し、検出した前記遅延測定情報に含まれる各ビットを複数フレーム内の各遅延測定信号に順次挿入し、前記遅延測定情報の各ビットが順次挿入された前記複数フレームを前記第１の伝送装置へ順次送信し、
前記第１の伝送装置は、前記第２の伝送装置から送信された前記複数フレームを受信し、受信した前記複数のフレーム内の各遅延測定信号から前記遅延測定情報を検出する
伝送網システム。
（付記１０）
前記遅延測定情報は、前記遅延測定情報を用いて所定の伝送経路に対する回線遅延時間を測定する伝送装置の識別コードを含み、
前記第１の伝送装置が検出した前記識別コードが前記第１の伝送装置の識別コードである場合に、前記第１の伝送装置は、前記第１の伝送装置が送信した前記遅延測定情報を検出する
付記９に記載の伝送網システム。
（付記１１）
前記第２の伝送装置が検出した前記識別コードが前記第１の伝送装置の識別コードである場合に、前記第２の伝送装置は、前記第２の伝送装置が生成した遅延測定情報と前記第２の伝送装置が検出した前記遅延測定情報とが前記測定遅延信号に夫々挿入されるタイミングを制御する、付記１０に記載の伝送網システム。
（付記１２）
前記遅延測定情報は、前記第１の伝送装置及び前記第２の伝送装置による、前記回線遅延時間の測定が前記第１又は前記第２の伝送装置内で競合するか否かを示す測定競合フラグを含み、
前記第２の伝送装置が前記識別コードを生成した時点よりも前記第２の伝送装置が前記識別コードを検出した時点が遅い場合に、前記第２の伝送装置（２００−Ｂ）は、検出された前記測定競合フラグを立て、立てられた前記測定競合フラグを含む検出された前記遅延測定情報を、生成された前記遅延測定情報の先頭ビットが前記遅延測定信号に挿入されてから所定数のフレーム後に挿入する
付記１１に記載の伝送網システム。
（付記１３）
前記第１の伝送装置は、検出された前記識別コードが前記第１の伝送装置の識別コードであり、検出された前記測定競合フラグが立っていない場合に、前記伝送経路に対する前記回線遅延測定が成功したことを特定する
付記１２に記載の伝送網システム。
（付記１４）
前記第１の伝送装置は、検出された前記識別コードが前記第１の伝送装置の識別コードであり、検出された前記測定競合フラグが立っている場合に、前記遅延測定情報を再度生成する、付記１２又は１３に記載の伝送網システム。
（付記１５）
前記第１の伝送装置は、検出された前記識別コードが前記伝送装置の識別コードであって検出された前記測定競合フラグが立っている回数をカウントする、付記１２〜１４の何れか一項に記載の伝送網システム。
（付記１６）
前記第１の伝送装置は、前記回数が所定数を超える場合に、前記遅延測定情報を生成するタイミングを所定時間遅らせる、付記１５に記載の伝送網システム。
（付記１７）
遅延測定情報を生成し、
生成された前記遅延測定情報に含まれる各ビットを複数フレーム内の各遅延測定信号に順次挿入し、前記遅延測定情報の各ビットが順次挿入された前記複数フレームを、回線遅延時間を測定する伝送経路上で対向する対向装置へ順次送信し、
前記対向装置から送信された複数フレームを受信し、受信した前記複数のフレーム内の各遅延測定信号から前記遅延測定情報を検出する、
伝送装置が行う伝送遅延測定方法。
（付記１８）
前記遅延測定情報は、前記遅延測定情報を用いて所定の伝送経路に対する回線遅延時間を測定する伝送装置の識別コードを含み、
検出された前記識別コードが前記伝送装置の識別コードである場合に、送信された前記遅延測定情報を検出する
付記１７に記載の伝送遅延測定方法。
（付記１９）
検出された前記識別コードが前記対向装置の識別コードである場合に、生成された遅延測定情報と検出された前記遅延測定情報とが前記測定遅延信号に夫々挿入されるタイミングを制御する、付記１８に記載の伝送遅延測定方法。
（付記２０）
前記遅延測定情報は、前記伝送装置及び前記対向装置による、前記回線遅延時間の測定が前記伝送装置内で競合するか否かを示す測定競合フラグを含み、
前記識別コードが生成された時点よりも前記識別コードが検出された時点が遅い場合に、検出された前記測定競合フラグを立て、立てられた前記測定競合フラグを含む検出された前記遅延測定情報を、生成された前記遅延測定情報の先頭ビットが前記遅延測定信号に挿入されてから所定数のフレーム後に挿入する
付記１９に記載の伝送遅延測定方法。
（付記２１）
検出された前記識別コードが前記伝送装置の識別コードであり、検出された前記測定競合フラグが立っていない場合に、前記伝送経路に対する前記回線遅延測定が成功したことを特定する
付記２０に記載の伝送遅延測定方法。
（付記２２）
検出された前記識別コードが前記伝送装置の識別コードであり、検出された前記測定競合フラグが立っている場合に、前記遅延測定情報を再度生成する、付記２０又は２１に記載の伝送遅延測定方法。
（付記２３）
検出された前記識別コードが前記伝送装置の識別コードであって検出された前記測定競合フラグが立っている回数をカウントする、付記２０〜２２の何れか一項に記載の伝送装置。
（付記２４）
前記回数が所定数を超える場合に、前記コード生成部が前記遅延測定情報を生成するタイミングを所定時間遅らせる、付記２３に記載の伝送遅延測定方法。
【符号の説明】
【０１１５】
１００      伝送網システム
１１０      キャリア網
２００      伝送装置
２０１      コード生成部
２０２      挿入部
２０３      検出部
２０４      比較部
２０５      測定カウンタ
２０６      競合制御部
２０７      タイミング制御部
３１０      イーサネット（登録商標）に従った通信装置
３２０      SONET/SDNに従った通信装置
４００      伝送装置
４０１      制御回路
４０２      回線インタフェース(IF)回路
４０３      スイッチ(SW)回路
【図２】
2016105550.tif 000003
【図３】
2016105550.tif 000004
【図５】
2016105550.tif 000005
【図６】
2016105550.tif 000006
【図８】
2016105550.tif 000007
【図１１Ａ】
2016105550.tif 000008
【図１１Ｂ】
2016105550.tif 000009
【図１２】
2016105550.tif 000010
【図１】
2016105550.tif 000011
【図４】
2016105550.tif 000012
【図７】
2016105550.tif 000013
【図９】
2016105550.tif 000014
【図１０】
2016105550.tif 000015